(57)【要約】【課題】フィードチェーン装置を回動軸回りに回動させることで、脱穀機枠におけるフィードチェーン装置と対向する位置の開口が閉塞又は開放される脱穀装置において、フィードチェーン装置を閉塞位置に位置させた際に前記脱穀機枠と前記フィードチェーン装置との間から穀粒等の被脱穀物がこぼれ出ることを有効に防止する。【解決手段】脱穀機枠における上流側端壁に下方延在面を設け且つフィードチェーン装置における内側カバー部材の穀稈搬送方向上流側の端部に上方延在面を設ける。前記フィードチェーン装置を閉塞位置に位置させた状態で穀稈搬送方向に沿って視た際に、前記上方延在面は、前記下方延在面との間に隙間が生じないように少なくとも一部が該下方延在面とオーバーラップした状態で該下方延在面より穀稈搬送方向上流側に位置する。【選択図】図１４
2008099590.tif 000002
【特許請求の範囲】
【請求項１】
扱胴を収容する扱室を形成する脱穀機枠と、穀稈の穂先側が前記扱室内に突入した状態で前記扱胴の回転軸線に沿って穀稈を搬送するフィードチェーン装置とを備え、前記脱穀機枠は前記フィードチェーン装置と対向する外側方が開口とされ、前記フィードチェーン装置は前記脱穀機枠の前記開口を閉塞又は開放させ得るように回動可能とされている脱穀装置であって、
前記脱穀機枠は、穀稈搬送方向を基準にして上流側及び下流側に位置する上流側端壁及び下流側端壁と、前記上流側端壁及び前記下流側端壁の間に延びる周壁とを有し、
前記上流側端壁は、穀稈搬送方向上流側から前記扱室内への穀稈の侵入を許容する穀稈入口用スリットと、前記スリットより下方において下端が自由端とされた下方延在面とを有しており、
前記フィードチェーン装置は、本機フレームに回動可能に支持されたＦＣレール部材と、前記フィードチェーン装置を前記脱穀機枠の前記開口を閉塞する閉塞位置に位置させた際に穀稈搬送方向に関し前記上流側端壁と対向した状態で前記開口を閉塞するように前記ＦＣレール部材に支持された内側カバー部材とを有し、
前記内側カバー部材には、穀稈搬送方向上流側の端部に、上端が自由端とされた上方延在面が設けられており、
前記上方延在面は、前記フィードチェーン装置を閉塞位置に位置させた状態において穀稈搬送方向に沿って視た際に、前記下方延在面との間に隙間が生じないように少なくとも一部が該下方延在面とオーバーラップした状態で該下方延在面より穀稈搬送方向上流側に位置することを特徴とする脱穀装置。
【請求項２】
前記内側カバー部材は、前記フィードチェーン装置が閉塞位置に位置された際に前記扱胴の下方において前記脱穀機枠に支持された受網を係止する受網押さえ面と、前記受網押さえ面と前記ＦＣレール部材との間に位置し、前記扱室側へ向けて下方傾斜された側方カバー面とを有しており、
前記側方カバー面の穀稈搬送方向上流側の端部が上方へ折り曲げられて前記上方延在面を形成していることを特徴とする請求項１に記載の脱穀装置。
【請求項３】
前記側方カバー面のうち前記フィードチェーン装置が閉塞位置に位置された際に前記下方延在面より穀稈搬送方向下流側に位置する部分には、傾斜面部材が固着されており、
前記傾斜面部材は、外側辺が前記ＦＣレール部材の内側面に当接された状態で前記側方カバー面より急角度で前記扱室側へ向けて下方傾斜された内方傾斜面を有していることを特徴とする請求項２に記載の脱穀装置。
【請求項４】
前記傾斜面部材は、さらに、前記内方傾斜面から穀稈搬送方向上流側へ延び、前記下方延在面より穀稈搬送方向下流側において前記側方カバー面に到達するように、穀稈搬送方向上流側へ向けて下方傾斜された上流側傾斜面を有していることを特徴とする請求項３に記載の脱穀装置。
【請求項５】
前記上流側端壁は、前記扱胴駆動軸と略直交する方向に延びる上流側エンドプレートであって、前記穀稈入口用スリットが形成された上流側エンドプレートと、前記穀稈入口用スリットより下方において前記上流側エンドプレートから穀稈搬送方向下流側へ延びる下流側延在プレートとを有し、
前記下流側延在プレートは、自由端部において前記扱胴の下方に配設される受網の穀稈搬送方向上流側の端辺を支持する受網支持領域と、前記フィードチェーン装置が閉塞位置に位置された際に穀稈搬送方向に沿って前記内側カバー部材と対向する外側方領域であって、自由端部が下方へ折り曲げられて前記下方延在面を形成する外側方領域とを含み、
前記外側方領域は、穀稈搬送方向下流側へ行くに従って上方に位置するような傾斜面とされていることを特徴とする請求項１から４の何れかに記載の脱穀装置。
【発明の詳細な説明】
【技術分野】
【０００１】
本発明は、穀稈を搬送するフィードチェーン装置と、前記フィードチェーン装置と対向する部分が開口とされた脱穀機枠とを備え、前記フィードチェーン装置が前記脱穀機枠の前記開口を閉塞又は開放させ得るように回動可能とされた脱穀装置に関する。
【背景技術】
【０００２】
穀稈を搬送するフィードチェーン装置と、前記フィードチェーン装置と対向する部分が開口とされた脱穀機枠とを備え、前記フィードチェーン装置が前記脱穀機枠の前記開口を閉塞又は開放させ得るように回動可能とされた脱穀装置は、従来から公知である（例えば下記特許文献１参照）。
【０００３】
斯かる脱穀装置は、前記フィードチェーン装置を閉塞位置に位置させた状態においては、前記フィードチェーン装置によって搬送される穀稈の穂先側が前記脱穀機枠内に突入されて、前記脱穀機枠内の扱胴によって脱穀処理が可能となる一方で、前記フィードチェーン装置を開放位置に位置させることで、前記脱穀機枠によって画される扱室内へのアクセス容易化を図ることが可能となっている。
【０００４】
しかしながら、従来のコンバインにおいては、前記脱穀機枠の前記開口を閉塞させる位置に前記フィードチェーン装置を位置させた際に、該フィードチェーン装置における内側カバー部材の穀稈搬送方向上流側の端部及び前記脱穀機枠の間に平面視において隙間が生じ、この隙間から穀粒を含む被脱穀物が外方へこぼれ出るという不都合があった。
又、前記隙間をスポンジによって埋めることも可能であるが、前記フィードチェーン装置の回動動作によって前記スポンジが摩耗してしまう。
【特許文献１】実開平９−３１４号公報
【発明の開示】
【発明が解決しようとする課題】
【０００５】
本発明は、前記従来技術に鑑みなされたものであり、穀稈を搬送するフィードチェーン装置と、前記フィードチェーン装置と対向する部分が開口とされた脱穀機枠とを備え、前記フィードチェーン装置が前記脱穀機枠の前記開口を閉塞又は開放させ得るように回動可能とされた脱穀装置であって、前記フィードチェーン装置を前記開口を閉塞させる閉塞位置に位置させた際に前記脱穀機枠と前記フィードチェーン装置との間から穀粒等の被脱穀物がこぼれ出ることを有効に防止し得る構造簡単な脱穀装置の提供を、一の目的とする。
【課題を解決するための手段】
【０００６】
本発明は、前記課題を解決する為に、扱胴を収容する扱室を形成する脱穀機枠と、穀稈の穂先側が前記扱室内に突入した状態で前記扱胴の回転軸線に沿って穀稈を搬送するフィードチェーン装置とを備え、前記脱穀機枠は前記フィードチェーン装置と対向する外側方が開口とされ、前記フィードチェーン装置は前記脱穀機枠の前記開口を閉塞又は開放させ得るように回動可能とされている脱穀装置を提供する。
前記脱穀機枠は、穀稈搬送方向を基準にして上流側及び下流側に位置する上流側端壁及び下流側端壁と、前記上流側端壁及び前記下流側端壁の間に延びる周壁とを有している。
前記上流側端壁は、穀稈搬送方向上流側から前記扱室内への穀稈の侵入を許容する穀稈入口用スリットと、前記スリットより下方において下端が自由端とされた下方延在面とを有している。
前記フィードチェーン装置は、本機フレームに回動可能に支持されたＦＣレール部材と、前記フィードチェーン装置を前記脱穀機枠の前記開口を閉塞する閉塞位置に位置させた際に穀稈搬送方向に関し前記上流側端壁と対向した状態で前記開口を閉塞するように前記ＦＣレール部材に支持された内側カバー部材とを有している。
前記内側カバー部材には、穀稈搬送方向上流側の端部に、上端が自由端とされた上方延在面が設けられている。
前記上方延在面は、前記フィードチェーン装置を閉塞位置に位置させた状態において穀稈搬送方向に沿って視た際に、前記下方延在面との間に隙間が生じないように少なくとも一部が該下方延在面とオーバーラップした状態で該下方延在面より穀稈搬送方向上流側に位置する。
【０００７】
好ましくは、前記内側カバー部材は、前記フィードチェーン装置が閉塞位置に位置された際に前記扱胴の下方において前記脱穀機枠に支持された受網を係止する受網押さえ面と、前記受網押さえ面と前記ＦＣレール部材との間に位置し、前記扱室側へ向けて下方傾斜された側方カバー面とを有し、前記側方カバー面の穀稈搬送方向上流側の端部が上方へ折り曲げられて前記上方延在面を形成するように構成される。
【０００８】
より好ましくは、前記側方カバー面のうち前記フィードチェーン装置が閉塞位置に位置された際に前記下方延在面より穀稈搬送方向下流側に位置する部分には、傾斜面部材が固着される。
前記傾斜面部材は、外側辺が前記ＦＣレール部材の内側面に当接された状態で前記側方カバー面より急角度で前記扱室側へ向けて下方傾斜された内方傾斜面を有し得る。
【０００９】
さらに好ましくは、前記傾斜面部材は、前記内方傾斜面から穀稈搬送方向上流側へ延び、前記下方延在面より穀稈搬送方向下流側において前記側方カバー面に到達するように、穀稈搬送方向上流側へ向けて下方傾斜された上流側傾斜面を有し得る。
【００１０】
前記種々の形態において、好ましくは、前記上流側端壁は、前記扱胴駆動軸と略直交する方向に延びる上流側エンドプレートであって、前記穀稈入口用スリットが形成された上流側エンドプレートと、前記穀稈入口用スリットより下方において前記上流側エンドプレートから穀稈搬送方向下流側へ延びる下流側延在プレートとを有し得る。
前記下流側延在プレートは、自由端部において前記扱胴の下方に配設される受網の穀稈搬送方向上流側の端辺を支持する受網支持領域と、前記フィードチェーン装置が閉塞位置に位置された際に穀稈搬送方向に沿って前記内側カバー部材と対向する外側方領域であって、自由端部が下方へ折り曲げられて前記下方延在面を形成する外側方領域とを含み得る。前記外側方領域は、穀稈搬送方向下流側へ行くに従って上方に位置するような傾斜面とされる。
【発明の効果】
【００１１】
本発明に係る脱穀装置によれば、脱穀機枠における上流側端壁に下方延在面を設け且つフィードチェーン装置における内側カバー部材の穀稈搬送方向上流側の端部に上方延在面を設けると共に、前記フィードチェーン装置を閉塞位置に位置させた状態で穀稈搬送方向に沿って視た際に、前記上方延在面及び前記下方延在面の間に隙間が生じないように前記上方延在面の少なくとも一部が該下方延在面とオーバーラップした状態で、該上方延在面が前記下方延在面より穀稈搬送方向上流側に位置するように構成したので、平面視において前記上流側端壁及び前記内側カバー部材の間に隙間が生じることがない。従って、扱胴によって脱穀された被脱穀物が前記脱穀機枠及び前記フィードチェーン装置の接合部位からこぼれ出ることを有効に防止できる。
【００１２】
受網押さえ面及び側方カバー面を有する前記内側カバー部材に、外側辺が前記ＦＣレール部材の内側面に当接された状態で前記側方カバー面より急角度で扱室側へ向けて下方傾斜された内方傾斜面を有する傾斜面部材を設ければ、側方カバー面に無理な加工を施すことなく、前記受網押さえ面及びＦＣレール部材の間に延びる前記側方カバー面上に落下した被脱穀物を効果的に扱室側へ案内させることができる。
【００１３】
前記傾斜面部材に、前記内方傾斜面から穀稈搬送方向上流側へ延び、前記下方延在面より穀稈搬送方向下流側において前記側方カバー面に到達するように、穀稈搬送方向上流側へ向けて下方傾斜された上流側傾斜面を備えれば、前記内方傾斜面を越えて穀稈搬送方向上流側へ向かう被脱穀物を、前記下方延在面及び前記上方延在面によって形成されるストッパ面と前記上流側傾斜面とによって画される凹部を利用して扱室側へ案内することができる。
【発明を実施するための最良の形態】
【００１４】
以下、本発明の好ましい実施の形態につき、添付図面を参照しつつ説明する。
図１〜図４は、それぞれ、本発明の一実施形態が適用されたコンバイン１の斜視図，側面図，正面図及び伝動模式図である。
【００１５】
図１〜図３に示すように、前記コンバイン１は、本機フレーム２と、前記本機フレーム２に支持された駆動源９（図４参照）と、前記本機フレーム２の下方に配設された左右一対のクローラ式走行装置１０と、前記駆動源９からの回転動力を変速して前記一対のクローラ式走行装置へ出力するトランスミッション１５（図４参照）と、前記本機フレーム２の前方において該本機フレーム２に昇降可能に支持された刈取装置２０と、前記刈取装置２０によって刈り取られた穀稈を脱穀処理する脱穀装置３０と、前記脱穀装置３０によって脱穀及び選別された穀粒を収容するグレンタンク６と、前記脱穀装置３０によって脱穀処理された後の排藁を後方へ搬送する排藁搬送装置７（図４参照）とを備えている。
なお、前記コンバイン１においては、前記脱穀装置３０及び前記グレンタンク６は車輌前方を向いた状態を基準にして、それぞれ、車輌幅方向左側及び右側に配置されており、前記グレンタンク６の前方には運転席５が配置されている。
【００１６】
図１〜図４に示すように、前記刈取装置２０は、穀稈を刈り取る刈取部２１と、前記刈取部２１によって刈り取られた穀稈を前記脱穀装置３０へ向けて搬送する搬送部とを備えている。
前記刈取部２１は、引起ケース及び引起タインを含む引起機構２２と、前記引起ケースの下方部から前方へ突出された分草板２３と、前記引起ケースの後方に配設された刈刃２４とを有している。
前記搬送部２６は、上部搬送機構及び縦搬送機構を含み、刈り取られた穀稈の株元を前記脱穀装置における下記フィードチェーン装置５００へ受け継ぐように構成されている。
【００１７】
図５及び図６に、それぞれ、前記コンバイン１の部分斜視図及び部分側面図を示す。
前記脱穀装置３０は、図４〜図６に示すように、前記駆動源９によって作動的に駆動される扱胴駆動軸３１０と、前記扱胴駆動軸３１０に相対回転不能に支持された扱胴３２０と、前記扱胴３２０を収容する扱室を形成する脱穀機枠４００と、前記刈取装置２０から受け継いだ刈取穀稈を穂先側が前記扱室に突入した状態で搬送するフィードチェーン装置５００とを含んでいる。
なお、本実施の形態においては、前記フィードチェーン装置５００は車輌前方側から後方側へ向かって前記刈取穀稈を搬送するように構成されている。
【００１８】
前記脱穀装置３０は、さらに、前記脱穀機枠４００の下方に配設された揺動選別装置（図示せず）と、前記揺動選別装置によって選別された穀粒を集約する樋構造体（図示せず）とを備えている。
前記揺動選別装置は、前記扱胴３２０によって脱穀された被脱穀物から穀粒を比重選別すると共に、唐箕ファン５５（図４参照）からの選別風によって風選別するように構成されている。
【００１９】
前記樋構造体は、穀稈搬送方向上流側から下流側へ直列配置された一番樋及び二番樋を有している。
前記一番樋及び前記二番樋にはそれぞれ一番コンベア６１ａ（図４参照）及び二番コンベア６２ａ（図４参照）が配置されており、前記一番樋に集約された一番穀粒は一番コンベア６１ａ及び揚穀コンベア６１ｂ（図４参照）を介して前記グレンタンク６内に搬入され、前記二番樋に集約された二番穀粒は二番コンベア６２ａと二番還元コンベア６２ｂ（図４参照）を含む二番還元装置とによって、前記揺動選別機構へ戻されるようになっている。
【００２０】
図７及び図８に、それぞれ、前記脱穀機枠４００及び前記フィードチェーン装置５００の斜視図及び平面図を示す。
前記フィードチェーン装置５００は、前記本機フレーム２に対して回動軸５０１回り回動可能とされている。
本実施の形態においては、図７及び図８に示すように、前記回動軸５０１は略垂直な方向に延びており、前記フィードチェーン装置５００は水平方向に回動可能とされている。
【００２１】
具体的には、図５〜図８に示すように、前記フィードチェーン装置５００は、前記本機フレーム２に対して前記回動軸５０１回り回動自在とされたＦＣレール部材（フィードチェーンレール部材）５１０と、前記駆動源９に作動連結された駆動スプロケット５２１及び従動スプロケット５２２を含むＦＣ駆動機構（フィードチェーン駆動機構）５２０と、前記ＦＣレール部材５１０によって案内された状態で前記駆動スプロケット５１２及び前記従動スプロケット５２２に巻き回されたフィードチェーン５３０と、前記ＦＣレール部材５１０の車輌幅方向内側面に支持された内側カバー部材５４０とを備えている。
なお、前記フィードチェーン装置５００はフィードチェーンカバー５９０（図１〜図３参照）によって覆われている。
【００２２】
前記脱穀装置４０は、さらに、図５及び図６に示すように、前記フィードチェーン装置５００の上方に位置する藁押さえ装置６００を有している。
前記藁押さえ装置６００は、前記フィードチェーン装置５００によって搬送される穀稈を前記フィードチェーン５３０に向けて押圧するように構成されている。
【００２３】
前記藁押さえ装置６００は、下記扱室カバー４０５に支持されている。
具体的には、前記藁押さえ装置６００は、図５及び図６に示すように、穀稈搬送方向に沿った固定レール６０１と、前記フィードチェーン５３０と対向配置される可動レール６０２と、前記固定レール６０１及び前記可動レール６０２の間に配置され、前記可動レール６０２を前記フィードチェーン５３０へ向けて押圧するコイルスプリング等の付勢部材６０３とを備えている。
なお、前記藁押さえ装置６００は、前記扱室カバー４０５に着脱可能に装着又は回動可能に連結された藁押さえカバー６１０（図１〜図３参照）によって覆われている。
【００２４】
本実施の形態においては、図７及び図８に示すように、前記ＦＣレール部材５１０は、穀稈搬送方向下流側が前記本機フレーム２に対して前記回動軸５０１回り回動可能に連結されている。
【００２５】
詳しくは、前記ＦＣレール部材５１０は、図７及び図８に示すように、前記フィードチェーン５３０の移動経路を画するレール本体５１１と、前記レール本体２１１の穀稈搬送方向下流側から後方且つ車輌幅方向内方へ延在された支点部材５１２とを有しており、該支点部材５１２が前記回動軸５０１を介して前記本機フレーム２に対して回動自在に連結されている。
斯かる構成を備えることにより、平面視において前記回動軸５０１を前記フィードチェーン５３０の移動経路から車輌幅方向内方へ回避させることができ、従って、該回動軸５０１近傍にワラや塵等が堆積することを有効に防止できる。
【００２６】
本実施の形態においては、前記フィードチェーン装置５００を前記回動軸５０１回りに回動させることによって、前記脱穀機枠４００のうち前記フィードチェーン装置５００と対向する部分を開放又は閉塞させ得るように構成されている。
【００２７】
図９に、前記脱穀機枠４００及び前記フィードチェーン装置５００を穀稈搬送方向上流側から視た斜視図であって、前記フィードチェーン装置５００を前記回動軸５０１回り外側方の開放位置へ回動させた状態の斜視図を示す。
【００２８】
前記脱穀機枠４００は、図７及び図９に示すように、少なくとも、前記フィードチェーン装置５００と対向する部分が開口とされており、前記フィードチェーン装置５００を前記回動軸５０１回りに回動させることによって、前記内側カバ５４０ー部材が前記開口を閉塞又は開放するように構成されている。
なお、本実施の形態においては、図７〜図９に示すように、前記脱穀機枠４００は、上方、下方及び外側方が開口とされている。
【００２９】
前記上方開口は、扱室カバー４０５（図１〜図３参照）によって閉塞又は開放される。
前記扱室カバー４０５は、前記外側方開口のうち前記フィードチェーン装置５００より上方に位置する部分（即ち、前記藁押さえ装置５０５に対応した部分）も閉塞するように構成されており、前述の通り、前記藁押さえ装置６００及び前記藁押さえカバー６１０を支持している。
前記扱室カバー４０５は、例えば、前記脱穀機枠４００に回動可能に連結される。
【００３０】
前記外側方開口のうち前記フィードチェーン装置５００と対向する部分（以下、側方下側開口という）は前記フィードチェーン装置５００によって閉塞又は開放されるようになっている。
【００３１】
前記下方開口は、図７〜図９に示すように、前記扱胴３２０（図４参照）の外周面形状にほぼ沿った受網３３０を介して前記揺動選別機構の揺動選別室に連通されている。即ち、前記扱胴３２０によって脱穀された被脱穀物は、前記受網３３０が配設された前記下方開口を介して、下方に位置する前記揺動選別機構へ落下するようになっている。
なお、前記受網３３０は、前記側方下開口を介して脱着可能とされている。
【００３２】
ここで、前記フィードチェーン装置５００を前記回動軸５０１回りに閉塞位置に位置させることで、前記内側カバー部材５４０が前記脱穀機枠４００の前記側方下開口を閉塞する際の、前記内側カバー部材５４０と前記脱穀機枠４００との境界部分について詳細に説明する。
【００３３】
前記脱穀機枠４００は、前記扱胴駆動軸３１０に支持された前記扱胴３２０を収容すると共に、前記扱胴３２０の下方に設けられた前記受網３３０を支持するように構成されている。
具体的には、図７〜図９に示すように、前記脱穀機枠４００は、穀稈搬送方向を基準にして、上流側に位置する上流側端壁４１０と、下流側に位置する下流側端壁４５０と、前記上流側端壁４１０及び前記下流側端壁４５０の間に延びる周壁４６０とを有している。
【００３４】
前記上流側端壁４１０は、前記扱胴駆動軸３１０の穀稈搬送方向上流側の端部が挿通される開口４１１と、前記開口４１１の下方に設けられた穀稈入口用スリット４１２であって、穀稈が搬送方向上流側から前記扱室内へ侵入することを許容する穀稈入口用スリット４１２と、前記穀稈入口用スリット４１２より下方において下端が自由端とされた下方延在面４１３（下記図１０〜図１２参照）とを有している。
【００３５】
前記下流側端壁４５０は、前記扱胴駆動軸３１０の穀稈搬送方向下流側の端部が挿通される開口４５１と、前記開口４５１の下方に設けられた穀稈出口用スリット４５２であって、前記フィードチェーン装置５００によって搬送される脱穀後の排藁が前記扱室から搬送方向下流側へ移動することを許容する穀稈入口用スリット４５２とを有している。
前記周壁４６０は、上方、前記フィードチェーン装置５００と対向する側の車輌幅方向外方、及び、下方が開口とされている。
【００３６】
なお、前記受網３３０は平面視矩形状とされており、前記側方下側開口を介して脱着可能なように、穀稈搬送方向上流側の端辺及び下流側の端辺がそれぞれ前記上流側端壁４１０及び下流側端壁４５０に支持されている。
【００３７】
図１０に、前記フィードチェーン装置５００を閉塞位置に位置させた状態の前記脱穀機枠４００及び前記フィードチェーン装置５００を穀稈搬送方向下流側から視た斜視図を示す。
又、図１１に、前記フィードチェーン装置５００を開放位置に位置させた状態の前記脱穀機枠４００の部分拡大図を示す。
さらに、図１２に、前記フィードチェーン装置５００を開放位置から閉塞位置へ回動させている途中の前記脱穀機枠４００及び前記フィードチェーン装置５００の部分斜視図を示す。
【００３８】
図１０〜図１２に示すように、前記上流側端壁４１０は、前記扱胴駆動軸３１０と略直交する方向に延びる上流側エンドプレート４２０と、前記上流側エンドプレート４２０から穀稈搬送方向下流側へ延びる下流側延在プレート４３０とを有している。
前記上流側エンドプレート４２０には、前記扱胴駆動軸３１０の穀稈搬送方向上流側の端部が挿通される前記開口４１１と、前記開口４１１の下方に設けられた前記穀稈入口用スリット４１２とが形成されている。
【００３９】
前記下流側延在プレート４３０は、前記穀稈入口用スリット４１２より下方において穀稈搬送方向下流側へ延びており、自由端部において前記受網３３０の穀稈搬送方向上流側の端辺を支持する受網支持領域４３１と、前記フィードチェーン装置５００が閉塞位置に位置された際に前記内側カバー部材５４０と穀稈搬送方向に沿って対向する外側方領域４３２とを含んでおり、前記外側方領域４３２に前記下方延在面４１３が形成されている。
即ち、前記外側方領域４３２は、前記上流側エンドプレート４２０から穀稈搬送方向下流側へ延び、自由端部が下方へ延在されることで、前記下方延在面４１３を形成している。
【００４０】
前記内側カバー部材５４０は、図８及び図１０に示すように、前記フィードチェーン装置５００を閉塞位置に位置させた際に、前記受網３３０が前記側方下側開口から抜け出ることを防止するように該受網３３０を係止しつつ、穀稈搬送方向上流側が前記上流側端壁４１０と穀稈搬送方向に沿って対向し且つ穀稈搬送方向下流側が前記下流側端壁４５０と穀稈搬送方向と直交する車輌幅方向に沿って対向した状態で前記側方下開口を閉塞するように構成されている。
【００４１】
図１３に、開放位置に位置させた状態の前記フィードチェーン装置５００を前記脱穀機枠４００の側から視た斜視図を示す。
又、図１４に、前記フィードチェーン装置５００を閉塞位置に位置させた状態の前記脱穀機枠４００及び前記フィードチェーン装置５００を外側方から視た斜視図を示す。
さらに、図１５に、前記フィードチェーン装置５００を閉塞位置に位置させた状態の前記下方延在面４１３近傍の部分拡大斜視図を示す。なお、図１４及び図１５においては、理解容易化の為に、前記ＦＣレール部材５１０を削除した状態を示している。
【００４２】
図１２〜図１５に示すように、前記内側カバー部材５４０は、穀稈搬送方向上流側の端部に、上端が自由端とされた上方延在面５５１が設けられている。
前記上方延在面５５１は、前記フィードチェーン装置５００を閉塞位置に位置させて穀稈搬送方向に沿って視た際（本実施の形態においては正面視又は背面視）に、前記下方延在面４１３との間に隙間が生じないように少なくとも一部が前記下方延在面４１３とオーバーラップした状態で該下方延在面４１３より穀稈搬送方向上流側に位置するように構成されており、平面視において前記内側カバー部材５４０及び前記上流側端壁４１０の間に隙間が存在しないようになっている。従って、前記扱胴３２０によって脱穀された被脱穀物が前記フィードチェーン装置５００と前記脱穀機枠４００の上流側端壁４１０との間からこぼれ出ることを有効に防止している。
【００４３】
即ち、従来構成においては、フィードチェーン装置を閉塞位置に位置させた際に、前記フィードチェーン装置における内側カバー部材の穀稈搬送方向上流側の端部は前記脱穀機枠の上流側端壁より、穀稈搬送方向を基準にして下流側に位置している。
斯かる構成においては、前記フィードチェーン装置を閉塞位置に位置させたとしても、平面視において前記内側カバー部材と前記上流側端壁との間に隙間が生じてしまい、この隙間から被脱穀物がこぼれ出る虞がある。
なお、前記隙間をスポンジ等の弾性部材によって埋めることも可能であるが、この場合には、前記フィードチェーン装置を前記回動軸線回りに回動させる毎に、前記弾性部材の摩耗が生じる。
【００４４】
これに対し、本実施の形態においては、前述の通り、前記フィードチェーン装置５００を閉塞位置に位置させた状態で穀稈搬送方向に沿って視た際に、前記内側カバー部材５４０の穀稈搬送方向上流側端部に設けられた前記上方延在面５５１が前記上流側端壁４１０の前記下方延在面４１３との間に隙間が生じない状態で該下方延在面４１３より穀稈搬送方向上流側に位置している。
従って、平面視において前記内側カバー部材５４０と前記上流側端壁４１０との間に隙間が生じることがなく、これにより、前記被脱穀物がこぼれ出ることを確実に防止できる。
【００４５】
ここで、前記内側カバー部材５４０の詳細構成について説明する。
図８，図１０及び図１３に示すように、前記内側カバー部材５４０は、前記フィードチェーン装置５００を閉塞位置に位置させた際に前記受網３３０の外側辺を係止する受網押さえ面５４１と、前記ＦＣレール部材５１０の内側面と前記受網押さえ面５４１との間に延びる側方カバー面５４２とを有している。
【００４６】
本実施の形態においては、前記受網押さえ面５４１は、前記扱室内に収容される前記扱胴３２０の外周面にほぼ沿った形状を有しており、内側辺が前記受網３３０を係止するように構成されている。
【００４７】
前記側方カバー面５４２は、図１３に良く示されるように、穀稈搬送方向上流側の端部が上方へ折り曲げられて、前記上方延在面５５１を形成している。
詳しくは、前記側方カバー面５４２は、前記扱胴によって脱穀された被脱穀物が外側方へこぼれ出ることを防止する為に、前記脱穀機枠側へ傾斜されている。
このように傾斜された前記側方カバー面５４２の穀稈搬送方向上流側の端部が、前記下方延在面４１３より下方において穀稈搬送方向上流側へ延びており、該下方延在面４１３より穀稈搬送方向上流側の位置で上方へ折り曲げられて前記上方延在面５５１を形成している。
従って、正面視及び平面視の双方において、前記内側カバー部材５４０と前記上流側端壁４１０との間に隙間が生じることが無く、これにより、被脱穀物がこぼれ出ることを有効に防止できる。
【００４８】
好ましくは、図１１，図１２及び図１４に示すように、前記上流側端壁４１０の前記外側方領域４３２を、穀稈搬送方向下流側へ行くに従って上方に位置するような傾斜面とすることができる。
斯かる構成を備えることにより、前記下方延在面４１３及び前記上方延在面５５１によって形成される被脱穀物のストッパ面を上下方向に可及的に長大化させることができる。従って、前記扱胴３２０によって穀稈から脱離された被脱穀物のうち前記内側カバー部材５４０の前記側方カバー面５４２上に落下した被脱穀物が、車輌前方側へこぼれ出ることを有効に防止することができる。
特に、前記フィードチェーン装置５００による穀稈の搬送経路が、搬送方向下流側へ行くに従って上方に位置するように傾斜されている場合には、前記側方カバー面５４２も同様に傾斜される。従って、前記側方カバー面５４２上に落下した被脱穀物は穀稈搬送方向上流側へ転がるが、前記構成によれば、前記下方延在面４１３及び前記上方延在面５５１によって形成されるストッパ面によって、穀稈搬送方向上流側へ転がる被脱穀物が扱室から外方へこぼれ出ることを有効に防止できる。
【００４９】
好ましくは、図８，図１０及び図１３に示すように、前記側方カバー面５４２のうち，穀稈搬送方向に関し前記下方延在面４１３より下流側に位置する部分に、傾斜面部材５６０を備えることができる。
前記傾斜面部材５６０は、外側辺が前記ＦＣレール部材５１０の内側面に当接された状態で前記側方カバー面５４２より急角度で前記扱室側へ向けて下方傾斜された内方傾斜面５６１を備えている。
斯かる内方傾斜面５６１を有する傾斜面部材５６０を備えることにより、前記側方カバー面５４２上に落下した被脱穀物を扱室側へ案内することができる。
【００５０】
なお、本実施の形態においては、図８，図１０及び図１３に示すように、前記傾斜面部材５６０は、さらに、前記内方傾斜面５６１から穀稈搬送方向上流側へ延び、前記下方延在面４１３より穀稈搬送方向下流側において前記側方カバー面５４２に到達するように、穀稈搬送方向上流側へ向けて下方傾斜された上流側傾斜面５６２を有している。
斯かる上流側傾斜面５６２を備えることにより、前記側方カバー面５４２上に落下した被脱穀物を前記内方傾斜面５６１によって扱室側へ案内させつつ、被脱穀物のうち前記内方傾斜面５６１を越えて穀稈搬送方向上流側へ流れる被脱穀物を、前記下方延在面４１３及び前記上方延在面５５１によって画されるストッパ面と前記上流側傾斜面５６２との間に形成される凹部５６５を利用して、扱室側へ案内することができる。
【００５１】
好ましくは、前記フィードチェーン装置５００は、開放位置から閉塞位置へ向かって回動するに従って若干上方に位置するように、水平に対して若干傾いた回動軌跡をとるように構成される。
このように、開放位置から閉塞位置へ向かうに従って若干上方に位置するように、前記フィードチェーン装置５００の回動軌跡を外低内高とすることにより、前記フィードチェーン装置５００が閉塞位置へ向けて回動される際に、前記上方延在面５５１は斜め下方から前記下方延在面４１３の穀稈搬送方向上流側に位置することになる（図１２参照）。従って、前記フィードチェーン装置５００を開放位置から閉塞位置へ位置させる際に、前記上方延在面５５１が前記下方延在面４１３に干渉することを有効に防止できる。
【図面の簡単な説明】
【００５２】
【図１】図１は、本発明の一実施の形態が適用されたコンバインの斜視図である。
【図２】図２は、図１に示す前記コンバインの左側面図である。
【図３】図３は、図１及び図２に示す前記コンバインの正面図である。
【図４】図４は、図１〜図３に示す前記コンバインの伝動模式図である。
【図５】図５は、図１〜図３に示す前記コンバインの部分斜視図である。
【図６】図６は、図５の側面図である。
【図７】図７は、図１〜図６に示す前記コンバインにおける脱穀装置の脱穀機枠及びフィードチェーン装置の斜視図である。
【図８】図８は、図７に示す前記脱穀機枠及び前記フィードチェーン装置の平面図である。
【図９】図９は、前記脱穀機枠及び前記フィードチェーン装置を穀稈搬送方向上流側から視た斜視図であって、前記フィードチェーン装置を回動軸回りに開放位置に位置させた状態を示している。
【図１０】図１０は、前記脱穀機枠及び前記フィードチェーン装置を穀稈搬送方向下流側から視た斜視図であって、前記フィードチェーン装置を回動軸回りに閉塞位置に位置させた状態を示している。
【図１１】図１１は、前記フィードチェーン装置を開放位置に位置させた状態の前記脱穀機枠の部分拡大図である。
【図１２】図１２は、前記フィードチェーン装置を開放位置から閉塞位置へ回動させている途中の前記脱穀機枠及び前記フィードチェーン装置の部分斜視図である。
【図１３】図１３は、開放位置に位置させた状態の前記フィードチェーン装置を前記脱穀機枠の側から視た斜視図である。
【図１４】図１４は、前記フィードチェーン装置を閉塞位置に位置させた状態の前記脱穀機枠及び前記フィードチェーン装置を外側方から視た部分斜視図である。なお、図１４においては、理解容易化の為に、前記フィードチェーン装置におけるＦＣレール部材を削除した状態を示している。
【図１５】図１５は、前記フィードチェーン装置を閉塞位置に位置させた状態の前記脱穀機枠及び前記フィードチェーン装置の対向部分近傍の部分斜視図である。なお、図１５においては、理解容易化の為に、前記フィードチェーン装置におけるＦＣレール部材を削除した状態を示している。
【符号の説明】
【００５３】
１                  コンバイン
２                  本機フレーム
３０                脱穀装置
３２０              扱胴
４００              脱穀機枠
４１０              上流側端壁
４１２              穀稈入口用スリット
４１３              下方延在面
４２０              上流側エンドプレート
４３０              下流側延在プレート
４３１              受網支持領域
４３２              外側方領域
４５０              下流側端壁
４６０              周壁
５００              フィードチェーン装置
５１０              ＦＣレール部材
５４０              内側カバー部材
５４１              受網押さえ面
５４２              側方カバー面
５５１              上方延在面
５６０              傾斜面部材
５６１              内方傾斜面
５６２              上流側傾斜面
【図４】
2008099590.tif 000003
【図５】
2008099590.tif 000004
【図６】
2008099590.tif 000005
【図７】
2008099590.tif 000006
【図８】
2008099590.tif 000007
【図９】
2008099590.tif 000008
【図１０】
2008099590.tif 000009
【図１１】
2008099590.tif 000010
【図１２】
2008099590.tif 000011
【図１３】
2008099590.tif 000012
【図１４】
2008099590.tif 000013
【図１５】
2008099590.tif 000014
【図１】
2008099590.tif 000015
【図２】
2008099590.tif 000016
【図３】
2008099590.tif 000017